(57)【特許請求の範囲】
【請求項１】
発泡生地をモールド成形にてカップ状に成形したブラジャーのカップであって、
前記カップを、バストの上側を覆うと共にその腋側端部に肩紐が取り付けられる上側バスト保持面部と、バストの下側を覆う下側バスト保持面部と、上側バスト保持面部及び下側バスト保持面部より分厚いもの或いは発泡倍率の低い硬いものを使用し、略三角形状で上側バスト保持面部と下側バスト保持面部の双方の胸元側縁に隣接して胸元を縦長に覆う胸元側バスト保持面部の３パーツで構成し、
胸元側バスト保持面部の内面に、該内面のほぼ全体に亙って隆起部を形成したことを特徴とするブラジャーのカップ。
【請求項２】
請求項１に記載のブラジャーのカップにおいて、
カップの最も高いトップを中心とするトップ周辺部分の気泡密度をカップの外周部分の気泡密度よりも高くしてこの部分を高伸縮性部分とし、且つ、
胸元側バスト保持面部のカップにおける外周部分、下側バスト保持面部の下縁部分及び上側バスト保持面部の肩紐取付部分の気泡密度を最も低くして柔軟性を有するが伸びが殆どない非伸縮性部分とし、
上側バスト保持面部の上縁部分の気泡密度を非伸縮性部分の気泡密度より高く、高伸縮性部分の気泡密度より低くして、上縁部分の伸縮性を高伸縮性部分と非伸縮性部分の中間の伸縮性としたことを特徴とするブラジャーのカップ。
【請求項３】
請求項１又は２に記載のブラジャーのカップにおいて、
上側バスト保持面部、下側バスト保持面部、或いは胸元側バスト保持面部の少なくとも一つに多数の通気孔が穿設されており、上側バスト保持面部及び下側バスト保持面部より硬い発泡生地を胸元側バスト保持面部に使用していることを特徴とするブラジャーのカップ。
【請求項４】
請求項１〜３のいずれかに記載のブラジャーのカップにおいて、
３種類のバスト保持面部の境界ラインをカップの内面側において凹ラインとして気泡密度を高伸縮性部分より小さくしたことを特徴とするブラジャーのカップ。
【請求項５】
請求項１〜４のいずれかに記載のブラジャーのカップを左右一対に用い、その左右一対の各カップは胸元側である内側縁がフリーとなっており、両カップをその下縁部分に沿って連結テープで連結すると共に、両カップの脇側縁からサイドパネルが延出され、両カップの肩紐取付部分とサイドパネルとの間に左右一対の肩紐が接続されていることを特徴とするブラジャー。
【請求項６】
発泡生地を切断して上側バスト保持面部、下側バスト保持面部及び胸元側バスト保持面部の３パーツで構成されるカップ生地を形成するに当たって、上側バスト保持面部及び下側バスト保持面部より分厚いもの或いは発泡倍率の低い硬いものを胸元側バスト保持面部に使用し、
カップ生地をモールド成形して、カップの最も高いトップを中心とするトップ周辺部分の気泡密度をカップの外周部分の気泡密度よりも高くしてこの部分を高伸縮性部分とし、且つ、胸元側バスト保持面部のカップにおける外周部分、下側バスト保持面部の下縁部分及び上側バスト保持面部の肩紐取付部分の気泡密度を最も低くして柔軟性を有するが伸びが殆どない非伸縮性部分とし、上側バスト保持面部の上縁部分の気泡密度を非伸縮性部分の気泡密度より高く、高伸縮性部分の気泡密度より低くして、上縁部分の伸縮性を高伸縮性部分と非伸縮性部分の中間の伸縮性とし、略三角形状で上側バスト保持面部と下側バスト保持面部の双方の胸元側縁に隣接して胸元を縦長に覆う胸元側バスト保持面部の内面に、該内面のほぼ全体に亙って隆起した隆起部を形成したことを特徴とするカップの製造方法。
【請求項７】
発泡生地を切断してバストの上側を覆うと共にその腋側端部に肩紐が取り付けられる上側バスト保持面部用のパーツと、バストの下側を覆う下側バスト保持面部用のパーツと、上側バスト保持面部及び下側バスト保持面部より分厚いもの或いは発泡倍率の低い硬いものを使用し、略三角形状で上側バスト保持面部と下側バスト保持面部の双方の胸元側縁に隣接してバストの胸元を縦長に覆う胸元側バスト保持面部用のパーツの３パーツを個別に形成し、
各パーツを縫着または接着してカップ生地を形成し、
カップ生地を１次モールド成形して、カップの最も高いトップを中心とするトップ周辺部分の気泡密度をカップの外周部分の気泡密度よりも高くしてこの部分を高伸縮性部分とし、且つ、胸元側バスト保持面部のカップにおける外周部分、下側バスト保持面部の下縁部分及び上側バスト保持面部の肩紐取付部分の気泡密度を最も低くして柔軟性を有するが伸びが殆どない非伸縮性部分とし、上側バスト保持面部の上縁部分の気泡密度を非伸縮性部分の気泡密度より高く、高伸縮性部分の気泡密度より低くして、上縁部分の伸縮性を高伸縮性部分と非伸縮性部分の中間の伸縮性とし、胸元側バスト保持面部の内面に、該内面のほぼ全体に亙って隆起した隆起部を形成し、
前記１次モールド成形体の外面側に化粧用の発泡生地を配置して２次モールド成形し、１次モールド成形体の外面に化粧用の発泡生地を張着することを特徴とするカップの製造方法。
【発明の詳細な説明】
【技術分野】
【０００１】
本発明は、バストの魅力的な谷間とボリュームアップされた美しいデコルテを胸元に安定して作ることができるブラジャーのカップ及びブラジャー並びにその製造方法に関する。
【背景技術】
【０００２】
従来のブラジャーは、乳房形状を保持する保持機能に加えて金属製のワイヤなどを備えてバストを美しく包み込む補正機能を備えたブラジャーが提案されている(例えば特許文献１参照)。【０００３】
ところが、近年、ブラジャーを着用する際、カップ内に収容したバストをカップで心もち吊り上げ、且つ双球のバストによる谷間をカップの間に現出させ、美しいバストラインを形成することが流行するようになって来ている。【０００４】
このため、カップ自体を改良して魅力的な谷間が表れるように工夫を施したブラジャーが開発されている。そのカップの改良例として、カップを構成する上側パネルと下側パネルと胸元側パネルとの合計３枚のパネルを縫い合わせて一体化したものが提案されている。これにより、カップ内に収容したバストをカップで心もち吊り上げた時に、内側に寄せられたバストを胸元側パネルで受け、胸元側にバストがはみ出ないようにして谷間をカップの間に現出させ、美しいバストラインを形成するようにした(例えば特許文献２参照)。
【先行技術文献】
【特許文献】
【０００５】
【特許文献１】特開２００７−７０７５３号公報
【特許文献２】特許第４９４３９６５号公報
【発明の概要】
【発明が解決しようとする課題】
【０００６】
しかし、胸元側パネルは外側の２枚のパネルと同様の厚みのものであって、吊り上げられ、内側に寄せられたバストを収納して大きく膨らむため、深い谷間を形成できるとしても、バストを押し上げて美しいデコルテを形成することまではできなかった。しかも美しいバストラインを形成するためには、保形のため硬いワイヤが使用されているが、このワイヤの使用はこのような寄せ上げブラジャーでは、肌に食い込み、着用者に不快感を与えるため最近ではノンワイヤブラジャーが好まれている。しかしながら、ノンワイヤの場合は、寄せ上げ効果が不十分であるという問題もあった。【０００７】
また、製造においても、３枚のパネルを縫い合わせて一体化したカップでは、縫着ラインが外に現れるため、この縫着ラインを外に現れないようにするカバー布を取り付ける必要があり、製造工程が複雑化するという問題もあった。【０００８】
そこで本発明は、ノンワイヤであるにも拘わらず、胸の谷間は勿論、バストを押し上げて胸元に美しいデコルテを現出することができるブラジャーのカップ及び該カップを使用したブラジャー並びに製造工程をより簡略化してコストを引き下げることができるブラジャーの製造方法を提供することを目的とする。
【課題を解決するための手段】
【０００９】
請求項１に記載した発明は、「発泡生地１をモールド成形にてカップ状に成形したブラジャー１０のカップ２０であって、
前記カップ２０を、バストＢの上側を覆うと共にその腋側端部に肩紐５０が取り付けられる上側バスト保持面部６０と、バストＢの下側を覆う下側バスト保持面部７０と、上側バスト保持面部６０及び下側バスト保持面部７０より分厚いもの或いは発泡倍率の低い硬いものを使用し略三角形状で上側バスト保持面部６０と下側バスト保持面部７０の双方の胸元側縁６２，７１に隣接してバストＢの胸元を縦長に覆う胸元側バスト保持面部８０の３パーツで構成し、
胸元側バスト保持面部８０の内面に、該内面のほぼ全体に亙って隆起した隆起部８０ａを形成した」ことを特徴とする。
【００１０】
請求項２に記載した発明は、請求項１に記載のブラジャー１０のカップ２０において、「カップ２０の最も高いトップを中心とするトップ周辺部分２０ａの気泡密度をカップ２０の外周部分２０ｂの気泡密度よりも高くしてこの部分を高伸縮性部分とし、且つ、
胸元側バスト保持面部８０のカップ２０における外周部分２０ｂ、下側バスト保持面部７０の下縁部分２４及び上側バスト保持面部６０の肩紐取付部分６０ａの気泡密度を最も低くして柔軟性を有するが伸びが殆どない非伸縮性部分とし、
上側バスト保持面部６０の上縁部分６１の気泡密度を非伸縮性部分の気泡密度より高く、高伸縮性部分の気泡密度より低くして、上縁部分６１の伸縮性を高伸縮性部分と非伸縮性部分の中間の伸縮性とした」ことを特徴とする。【００１１】
請求項３に記載した発明は、請求項１又は２に記載のブラジャー１０のカップ２０において、「上側バスト保持面部６０、下側バスト保持面部７０、或いは胸元側バスト保持面部８０の少なくとも１つに多数の通気孔２５が穿設されており、
上側バスト保持面部６０及び下側バスト保持面部７０より硬い発泡生地１を胸元側バスト保持面部８０に使用している」ことを特徴とする。【００１２】
請求項４に記載した発明は、請求項１〜３のいずれかに記載のブラジャー１０のカップ２０において、「３種類のバスト保持面部６０、７０、８０の境界ライン２１ａ、２１ｂをカップ２０の内面側において凹ラインとして気泡密度を高伸縮性部分より小さくした」ことを特徴とする。【００１３】
請求項５に記載した発明のブラジャー１０は、「請求項１〜４のいずれかに記載のブラジャー１０のカップ２０を左右一対に用い、その左右一対の各カップ２０は胸元側である内側縁８１がフリーとなっており、両カップ２０をその下縁部分２４に沿って連結テープ３０で連結すると共に、両カップ２０の脇側縁からサイドパネル４０が延出され、両カップ２０の肩紐取付部分６０ａとサイドパネル４０との間に左右一対の肩紐５０が接続されている」ことを特徴とする。【００１４】
請求項６に記載したカップ２０の製造方法の発明は、
発泡生地１を切断して上側バスト保持面部６０、下側バスト保持面部７０及び胸元側バスト保持面部８０の３パーツで構成されるカップ生地２を形成するに当たって、上側バスト保持面部６０及び下側バスト保持面部７０より分厚いもの或いは発泡倍率の低い硬いものを胸元側バスト保持面部８０に使用し、
カップ生地２をモールド成形して、カップ２０の最も高いトップを中心とするトップ周辺部分２０ａの気泡密度をカップ２０の外周部分２０ｂの気泡密度よりも高くしてこの部分を高伸縮性部分とし、且つ、胸元側バスト保持面部８０のカップ２０における外周部分２０ｂ、下側バスト保持面部７０の下縁部分２４及び上側バスト保持面部６０の肩紐取付部分６０ａの気泡密度を最も低くして柔軟性を有するが伸びが殆どない非伸縮性部分とし、上側バスト保持面部６０の上縁部分６１の気泡密度を非伸縮性部分の気泡密度より高く、高伸縮性部分の気泡密度より低くして、上縁部分６１の伸縮性を高伸縮性部分と非伸縮性部分の中間の伸縮性とし、略三角形状で上側バスト保持面部６０と下側バスト保持面部７０の双方の胸元側縁６２，７１に隣接して胸元を縦長に覆う胸元側バスト保持面部８０の内面のほぼ全体に亙って隆起した隆起部８０ａを形成したことを特徴とする。
【００１５】
請求項７に記載したカップ２０の製造方法の発明は、
発泡生地１を切断してバストＢの上側を覆うと共にその腋側端部に肩紐５０が取り付けられる上側バスト保持面部用のパーツ６０と、バストＢの下側を覆う下側バスト保持面部用のパーツ７０と、上側バスト保持面部６０及び下側バスト保持面部７０より分厚いもの或いは発泡倍率の低い硬いものを使用し、略三角形状で上側バスト保持面部６０と下側バスト保持面部７０の双方の胸元側縁６２，７１に隣接してバストＢの胸元を縦長に覆う胸元側バスト保持面部用のパーツ８０の３パーツを個別に形成し、
各パーツ６０、７０及び８０を縫着または接着してカップ生地２を形成し、
カップ生地２を１次モールド成形して、カップ２０の最も高いトップを中心とするトップ周辺部分２０ａの気泡密度をカップ２０の外周部分２０ｂの気泡密度よりも高くしてこの部分を高伸縮性部分とし、且つ、胸元側バスト保持面部８０のカップ２０における外周部分２０ｂ、下側バスト保持面部７０の下縁部分２４及び上側バスト保持面部６０の肩紐取付部分６０ａの気泡密度を最も低くして柔軟性を有するが伸びが殆どない非伸縮性部分とし、上側バスト保持面部６０の上縁部分６１の気泡密度を非伸縮性部分の気泡密度より高く、高伸縮性部分の気泡密度より低くして、上縁部分６１の伸縮性を高伸縮性部分と非伸縮性部分の中間の伸縮性とし、胸元側バスト保持面部８０の内面に、該内面のほぼ全体に亙って隆起した隆起部８０ａを内面に形成し、
前記１次モールド成形体Ｍ１の外面側に化粧用の発泡生地３を配置して２次モールド成形し、１次モールド成形体Ｍ１（図５）の外面に化粧用の発泡生地３を張着することを特徴とする。
【発明の効果】
【００１６】
請求項１に記載の発明によれば、胸元側バスト保持面部８０の内面に隆起部８０ａを形成しているので、肩紐５０によって吊り上げられ、且つ、外側から内側に向かって寄せられたバストＢはボリュームのある隆起部８０ａに上方に向って押し上げられ、胸元に美しいデコルテを形成する。【００１７】
ここで、上側バスト保持面部６０、下側バスト保持面部７０及び胸元側バスト保持面部８０は、一枚の発泡生地１を切り抜いて形成してもよいし、硬さや厚みの異なる発泡生地１を選択して使用するようにしてもよい。後者の場合、胸元側バスト保持面部８０の硬さや厚みが上側バスト保持面部６０、下側バスト保持面部７０よりも大であるものを使用することが好ましい。発泡生地１は、ブラジャー１０の素材として適するものであればどのようなものでもよいが、一般的には発泡ポリウレタンの片面に布地が貼付けられたものが使用される。
また、上側バスト保持面部６０、下側バスト保持面部７０及び胸元側バスト保持面部８０を１パーツとして一枚の発泡生地１を切り抜いて形成してもよい。この場合、胸元側バスト保持面部８０の内面に隆起部８０ａを形成するので、厚手の発泡生地１を使用することが好ましい。【００１８】
また、請求項２に記載した発明では、このカップ２０を図４に示すような胸元部分がフリーなブラジャー１０に使用した場合、下側バスト保持面部７０の下縁部分２４を柔軟性を有するが伸びが殆どない非伸縮性としているので、従来、この部分に使用していたワイヤをなくすことができる。そして、胸元側バスト保持面部８０のカップ２０における外周部分２０ｂ及び上側バスト保持面部６０の肩紐取付部分６０ａを柔軟性を有するが伸びが殆どない非伸縮性部分としているので、着用によって肩紐取付部分６０ａを吊り上げ、バストＢを伸びが殆どない下側バスト保持面部７０の下縁部分２４にて吊り上げて胸元側に寄せた場合に、寄せられたバストＢが伸縮性に富むトップ周辺部分２０ａに形良く包まれ、且つ、伸びが殆どない胸元側バスト保持面部８０の隆起部８０ａにしっかりと保持されて該部分からはみ出さず、その結果、胸元に深くて美しい谷間が形成され、前記隆起部８０ａにて上方に向って押し上げられ、胸元に美しいデコルテが形成される。【００１９】
請求項３に記載した発明では、上側バスト保持面部６０、下側バスト保持面部７０及び胸元側バスト保持面部８０の少なくとも１つに多数の通気孔２５が穿設されているので、通気性に優れ、蒸れることがない。また、上側バスト保持面部６０及び下側バスト保持面部７０より硬い発泡生地を胸元側バスト保持面部８０に使用しているので、内側に寄せられたバストＢの圧力に対して隆起部８０ａが負けることがなく、内側に寄せられたバストＢを上方に効果的に押し上げることができる。【００２０】
請求項４に記載した発明では、３種類のバスト保持面部６０、７０、８０の境界ライン２１ａ、２１ｂをカップ２０の内面側において凹ラインとして気泡密度を高伸縮性部分より小さくしているので、この部分が高伸縮性部分の補強ラインとして働くことになる。その結果、カップ２０内に収納されたバストＢの圧力で高伸縮性部分であるトップ周辺部分２０ａが不必要に膨出するようなことにならず、形の良いバストＢを形成することができる。
【図面の簡単な説明】
【００２１】
【図１】本発明のカップが適用されたブラジャーを示す正面図である。
【図２】本発明のカップが適用されたブラジャーを示す背面図である。
【図３】本発明のカップの背面側を示す要部拡大斜視図である。
【図４】図１のブラジャーを装着した使用状態を示す正面図である。
【図５】(Ａ)は本発明のカップの縦断面図、(Ｂ)は本発明のカップの横断面図である。
【図６】本発明のカップの裁断時の図である。
【図７】(Ａ)は本発明の縫製カップの正面図、(Ｂ)は裏面図である。
【図８】図７の縫製カップをモールド成形する時の断面図である。
【図９】図８の縫製モールドカップと発泡生地とをさらにモールド成形する時の断面図である。
【発明を実施するための形態】
【００２２】
以下、本発明を図面に従って説明する。本発明が適用されたブラジャー１０は、図１〜図２に示すように、左右一対のカップ２０と、左右一対のカップ２０同士を連結する連結テープ３０と、両側のカップ２０の腋側端部から延びるサイドパネル４０と、肩紐５０とで大略構成されている。
【００２３】
カップ２０は、バストＢを覆う１枚物の椀状の部材、或いは図３にも示すように、バストＢの上側を横長に覆う帯状の上側バスト保持面部６０と、バストＢの下側を横長に覆う略紡錘形状の下側バスト保持面部７０と、上側バスト保持面部６０と下側バスト保持面部７０の双方の胸元側縁６２、７１に隣接して胸元を縦長に覆う略三角形状の胸元側バスト保持面部８０の３パーツで構成してもよい。これら３パーツ６０、７０、８０は機能的に異なるので、別々の発泡生地で形成してもよい。以下の実施例では別々の発泡生地で３パーツ６０、７０及び８０を用いる場合を説明する。
【００２４】
発泡生地１は、発泡材４の片面に布５が貼着されており、発泡材４には発泡倍率が異なるもの、即ち硬さの異なるもの、或いはこれらに所定の間隔で多数の通気孔２５が穿設されているものなど種々のものがあり、各パーツ６０、７０、８０はそれぞれに要求される性能に合わせて適当なものが用いられる。ここではまず、発泡生地１を切断して上側バスト保持面部６０と、下側バスト保持面部７０と、胸元側バスト保持面部８０を形成する。胸元側バスト保持面部８０は内面側に隆起部８０ａを形成することになるので、上側バスト保持面部６０や下側バスト保持面部７０よりも、分厚いもの或いは発泡倍率の低い硬いものが使用される。上側バスト保持面部６０や下側バスト保持面部７０は、バストＢを包み込む働きをするものであるから、発泡倍率の高い柔らかい素材が用いられる。好ましくは、これらのパーツ６０、７０には、通気孔２５が形成されている発泡生地１を用いるのがよい。必要があれば、パーツ８０にも通気孔２５が形成されている発泡生地１を用いることもできる。
【００２５】
裁断された上側バスト保持面部６０、下側バスト保持面部７０及び胸元側バスト保持面部８０を縫着又は接着して膨らみのあるカップ生地２を形成する。縫着ライン又は接着ラインは糸又は接着剤に引っ張られて凹ラインを形成している。そして、図８に示すようにメス型側に発泡材４、雄型側に布５が来るように配置して１次金型Ｋ１に嵌め込み、カップ形状にモールドする。この時、胸元側バスト保持面部８０の内面に隆起部８０ａが形成される。また、１次金型Ｋ１によるモールド成形において、カップ２０の最も高いトップを中心とするトップ周辺部分２０ａの気泡密度をカップ２０の外周部分２０ｂの気泡密度よりも高くしてこの部分を高伸縮性部分とし、且つ、胸元側バスト保持面部８０のカップ２０における外周部分２０ｂ、下側バスト保持面部７０の下縁部分２４及び上側バスト保持面部６０の肩紐取付部分６０ａの気泡密度を最も低くして柔軟性を有するが伸びが殆どない非伸縮性部分とし、さらに、上側バスト保持面部６０の上縁部分６１の気泡密度を非伸縮性部分の気泡密度より高く、高伸縮性部分の気泡密度より低くして、上縁部分６１の伸縮性を高伸縮性部分と非伸縮性部分の中間の伸縮性となるようにする。カップ２０の１次モールド成形体Ｍ１には表面に３パーツ６０、７０、８０の接続跡（縫着又は接着跡）が見えるので、続いて、図９に示すように２次モールドを行う。
【００２６】
２次モールドではメス型側に化粧用の発泡生地３を配置し、その上に１次モールド成形体Ｍ１を置き、化粧用の発泡生地３の発泡材４と１次モールド成形体Ｍ１の発泡材４とが全面的に熱接着するように加圧する。このようにして形成された２次モールド成形体Ｍ２は内側に一体接着された二重の発泡材４が存在し、その表裏両面に伸縮性にほとんど影響を与えないような薄い１枚の布５が貼着された状態となる。表面側の化粧用の発泡生地３により、３パーツ６０、７０、８０の接続跡は表面側に現れなくなる。
【００２７】
前記布５は無地或いは装飾生地（特に外表面）を用いてもよく、また製作能率を考慮して予め発泡材４である発泡ポリウレタン生地の表面に一体成形したものを用いるのが適している。なお、図１の実施例では前記布５の表面に外装用布９０を張り付け、さらに表面側にレース生地２３を接着などにより付設したものを示している。布５に美しいものを用いれば、外装用布９０を省略することも可能である。上記の場合において、３種類のバスト保持面部６０、７０、８０の境界ライン２１ａ、２１ｂはカップ２０の内面側において凹ラインとして気泡密度を高伸縮性部分より小さくして補強ラインとしている。また、モールド成形時の加熱圧縮度合いによって部分的に気泡密度に違いを与えて部分的に性質を異ならせる。例えば、部分的に伸縮性、柔軟性、弾力性、非伸縮性等を選択して成形することが可能になる。
【００２８】
具体的に説明すれば、カップ２０の最も高いトップを中心として、トップを含むその周辺部分２０ａの気泡密度をカップ２０の外周部分２０ｂの気泡密度よりも高くしてこの部分を高伸縮性部分とする。そして、カップ２０の外周部分２０ｂ、即ち、内側縁８１も含む胸元側バスト保持面部８０の外周部分、下縁を含む下側バスト保持面部７０の下縁部分２４及び上側バスト保持面部６０の腋側端部には肩紐５０が取り付けられるが、この肩紐取付部分６０ａにおいて、圧縮率を最も大きくして気泡密度を最も低くし、柔軟性を有するが伸びが殆どない非伸縮性部分とする。さらに、上側バスト保持面部６０の上縁部分６１の圧縮率を中程度にして、その気泡密度を非伸縮性部分の気泡密度より高く、トップ周辺部分２０ａとその周囲である高伸縮性部分の気泡密度より低くして、上縁部分６１の伸縮性を高伸縮性部分と非伸縮性部分の中間の伸縮性としている。勿論、非伸縮性部分、中間の伸縮性の部分及び高伸縮性部分の境界部は伸縮性の低い部分に向かって次第にその気泡密度を減ずるように調整されている。
【００２９】
さらに詳細に説明すると、上側バスト保持面部６０の上縁部分６１の横方向の伸縮性（上側バスト保持面部６０は横長で縦方向の幅が狭く、且つ、バストＢの上側にうまくフィットするようにする必要があるため、特に、横方向の伸縮性が重要）は中程度を有する。即ち、前述のようにその上縁部分６１が中程度の気泡密度を有し、トップ周辺部分２０ａに隣接する部分は発泡ポリウレタン生地の加熱圧縮量を少なくして該周囲とほぼ同じような気泡密度となるように比較的厚く成形しているが、上縁部分６１は気泡密度を低くして中程度の伸縮性を有する。これにより上側バスト保持面部６０の上縁部分６１の柔軟性は肌にフィットする柔軟性を持つことになる。なお、上縁の圧縮率を非伸縮性部分と同等に高くして伸びを抑制するようにしてもよい。このようにすることで、前記フィット性を保ちつつ上縁からのバストＢのはみ出しを防ぐことができる。勿論、下側バスト保持面部７０のトップ周辺部分２０ａとの隣接部分では高伸縮性を持つ。また、腋側端部には肩紐５０が取り付けられる関係上、肩紐取付部分６０ａの圧縮度を高くして気泡密度を最も低くし、柔軟性を有するが伸びが殆どない非伸縮性部分としている。
【００３０】
下側バスト保持面部７０のトップ周辺部分２０ａの縦横方向の伸縮性は、上側バスト保持面部６０の前記隣接部分と同じく弾性に富んでいることから該発泡ポリウレタン生地の加熱圧縮量を少なくして比較的厚く成形している。そして、下側バスト保持面部７０の下縁部分２４は全長に亙って発泡ポリウレタン生地自体の弾性を無くす薄さまで加熱圧縮して成形されている。
【００３１】
胸元側バスト保持面部８０は寄せられたバストＢを支えると共にバストＢを上方に押し上げるための部分であるから全体的に伸縮性が抑制され、且つ内面のほぼ全体に亙って前述の略三角形状の隆起部８０ａが膨出されることになる。隆起部８０ａは中央が高く周辺部に向かってなだらかにその厚みを減じる曲面を描き、その内側はなだらかな内側に軽く凹湾曲した壁８０ｂを形成している。壁８０ｂは隆起部８０ａから境界ライン２１ｂを越えて上下のバスト保持面部６０、７０のトップ周辺部分２０ａに広がって繋がる。さらに、胸元側バスト保持面部８０の内側縁８１には、該内側縁８１が胸の谷間に沿うよう外側に凸湾曲させている(図３及び図５(Ｂ)参照)。
【００３２】
このカップ形状（１次モールド成形体Ｍ１）の成形時に、カップ２０の内面において、上側バスト保持面部６０と下側バスト保持面部７０との上下に隣接する境界部分が横方向の境界ライン２１ａとなる。また、上側バスト保持面部６０と下側バスト保持面部７０の双方の胸元側縁６２、７１と、胸元側バスト保持面部８０との左右方向に隣接する境界部分が縦方向の境界ライン２１ｂとなり、それぞれ補強ラインとして形成されている。なお、この補強ラインは必要に応じて設けられる。従って、補強ラインを設けることなく内面２２全体を滑らかな凹半球面としてもよい。
【００３３】
連結テープ３０は、左右一対のカップ２０同士を連結するためのものである。本実施例では、連結テープ３０としてワイヤレス(カップ２０の下縁部分２４にワイヤボーンが挿入用されていないこと)で厚手の起毛素材をテープ状にした非伸縮性のものが採用されており、このテープ状の連結テープ３０を各カップ２０の下縁部分２４に縫着或いは接着することによってカップ２０同士が連結されている。カップ２０の内側縁８１は連結テープ３０が縫着或いは接着されずフリーになっている。連結テープ３０に用いられる起毛素材の具体例としては、別珍、コットンネル、ベルベット、ビロード等が挙げられる。ここで、連結テープ３０に厚手の起毛素材を採用しているのは、ワイヤレスであるにも拘わらず連結テープ３０そのものの基材強度を高めてカップ２０の下側でバストＢをしっかりとサポートすると共に、連結テープ３０が肌に触れたときの着用感を高めることを目的としているからである。
【００３４】
サイドパネル４０は、強い伸縮性の繊維素材によって形成された帯状部材であり、サイドパネル４０の一端がカップ２０の腋側端部に縫い付けられている。そして、一方のサイドパネル４０の先端部には、被係止具２６が取り付けられており（図１参照）、他方のサイドパネル４０の先端部には、被係止具２６に係止されるフック２７が取り付けられている（図２参照）。
肩紐５０は、カップ２０の位置ずれを防止すると共にカップ２０に収納されたバストＢを持ち上げて保持するものであり、肩紐５０の一端がカップ２０の上側バスト保持面部６０の腋側端部（肩紐取付部分６０ａ）に接続されており、他端が背中側に位置するサイドパネル４０の上側縁に接続されている。
【００３５】
次に、ブラジャー１０を着用する際は、図４に示すように、バストＢさらには脇から背中にかけての贅肉をカップ２０の胸元側に寄せ集めてカップ２０内に収納し、さらに肩紐５０の吊上げ力によって、バストＢを持ち上げ、胸元側へ寄せる。
【００３６】
ここで重要な点は、カップ２０に収納されて胸元側に寄せ集められたバストＢが胸元側バスト保持面部８０の隆起部８０ａの内側に凹湾曲した曲面を持つ壁８０ｂによって上方に押し上げられてバストＢのボリュームアップが図られ、胸元に美しい谷間と共にボリュームアップされたデコルテがバストＢに形成される。
【００３７】
加えて、補強ラインとしての縦方向の境界ライン２１ｂが存在する場合、縦方向の伸びに対する補強となり、胸元側バスト保持面部８０に対して胸元側に向いた水平方向の力に対する包み込み強度を大幅に向上すると共にバストＢの胸元側側面を１枚で包むように接することになる。また、成形されたカップ２０は上下のバスト保持面部６０、７０のトップ周辺部分２０ａが縦横方向の伸縮性に富んでいるためバストＢの弾性保持性能が高く、図４(Ｂ)に示すように、横方向に寄せられたバストＢに追従するように弾性対応して寄せ易くなる。水平方向の境界ライン２１ａが形成されている場合には、これがバストＢの形を整えることの一助になる。
【００３８】
また、上側バスト保持面部６０の上縁部分６１は柔軟性に富むため、この上縁部分６１がバストＢの上部膨らみ部分の途中或いはその付け根に当接したとしても、肌面になじむように沿うことになり、肌面への食い込みや肌面を圧することによる段差を生じさせない。よって、上側バスト保持面部６０ではバストＢの上側の膨らみ部分に適した接触面となり、ブラジャー１０の上部側での着け心地がよく、カップ２０と肌面との違和感を生じさせない。
【００３９】
さらに、下側バスト保持面部７０のトップ周辺部分２０ａが弾力性に富み、その下縁部分２４が非伸縮性となっているので、図４(Ａ)に示すように、この下側バスト保持面部７０がバストＢの下部に当接した際に、バストＢの下部を包み込むように弾性対応し、バストＢを安定して保持し、バストＢの下側膨らみ部分に適した保持面となる。
【００４０】
また、ブラジャー１０の着用時には、肩紐５０の吊上力によってカップ２０が上方に吊り上げられてバストＢが支持されるのであるが、下側バスト保持面部７０の下縁部分２４が非伸縮性であり、且つ、カップ２０同士を接続する１本の連結テープ３０がワイヤレス且つ非伸縮性であって各カップ２０の下縁に沿って取り付けられているので、収納されたバストＢに起因してカップ２０に掛かる力に応じて下縁部分２４と連結テープ３０が自在に変形し、これによって肩紐５０による吊上力は左右のカップ２０に均等に加わることになり、より美しいバストラインを形成できる。しかも、該連結テープ３０は厚手の起毛素材によって形成されているので、従来の金属ワイヤのような着用時における不快感を感じることもない。
【００４１】
さらに、カップ２０は、上側バスト保持面部６０を幅狭の帯状とし、且つ、上側バスト保持面部６０が下側バスト保持面部７０と湾曲面を形成するように構成されており、特に外面が布５で外表面が覆われているので、カップ２０の内面２２側に成形されている補強ラインは外方から見えず、また、胸元の大きく開いた衣服を着用するような場合にもブラジャー１０や、カップ２０内の乳首のシルエットがブラジャー１０の外から見えないという効果も得ることができる。
【００４２】
以上述べたように、バストＢを胸元側に寄せるのに適した３種類の異質なバスト保持面部６０、７０、８０をつなぎ合わせ、さらに化粧用の発泡生地３を重ね合わせてブラジャー１０のカップ２０をモールド成形する例を示したが、勿論、これに限られず１枚の発泡生地１からカップ生地２を裁断し、これをモールド成形してもよい。この場合は、縫着ラインや接着ラインが存在しないので、化粧用の発泡生地３を省略することができる。その外、３パーツでカップ２０を形成する場合と同じである。
【符号の説明】
【００４３】
１：発泡生地、２：カップ生地、３：化粧用の発泡生地、４：発泡材、５：布、１０：ブラジャー、２０：カップ、２０ａ：トップ周辺部分、２０ｂ：外周部分、２１ａ・２１ｂ：境界ライン、２２：カップの内面、２３：レース生地、２４：下縁部分、２５：通気孔、２６：被係止具、２７：フック、３０：連結テープ、４０：サイドパネル、５０：肩紐、６０：上側バスト保持面部、６０ａ：肩紐取付部分、６１：上縁部分、６２：胸元側縁、７０：下側バスト保持面部、７１：胸元側縁、８０：胸元側バスト保持面部、８０ａ：隆起部、８０ｂ：壁、８１：内側縁、９０：外装用布、Ｂ：バスト、Ｋ１：１次金型、Ｋ２：２次金型、Ｌ：補強ライン、Ｍ１：１次モールド成形体、Ｍ２：２次モールド成形体。
【要約】
【課題】ノンワイヤであるにも拘わらず、胸の谷間は勿論、バストを押し上げて胸元に美しいデコルテを現出することができるブラジャーのカップ提供することを目的とする。
【解決手段】発泡生地（１）をモールド成形にてカップ状に成形したブラジャー（１０）のカップ（２０）である。カップ（２０）を、バスト（Ｂ）の上側を覆うと共にその腋側端部に肩紐（５０）が取り付けられる上側バスト保持面部（６０）と、バスト（Ｂ）の下側を覆う下側バスト保持面部（７０）と、バスト（Ｂ）の胸元側を覆う胸元側バスト保持面部（８０）とで構成する。胸元側バスト保持面部（８０）の内面に隆起部（８０ａ）を形成する。【図１】
0005520421.tif 000002
【図２】
0005520421.tif 000003
【図３】
0005520421.tif 000004
【図４】
0005520421.tif 000005
【図５】
0005520421.tif 000006
【図６】
0005520421.tif 000007
【図７】
0005520421.tif 000008
【図８】
0005520421.tif 000009
【図９】
0005520421.tif 000010